(57)【要約】【課題】商品補充や紙幣及び硬貨の回収等の作業を支障なく行える盗難防止装置を提供する。【解決手段】防護部材２４の各係合片２４ａ２がロック機構２３ａによって係止部材２３に係止された状態では、この防護部材２４によってドア２の開放を妨げることができる。また、防護部材２４が支持部材２２内のシャフト２２ｂを支点として回動できるように構成されているので、商品の補充や紙幣及び硬貨の回収等の作業に際してドア２を開放するときに防護部材２４を自動販売機からその都度取り外すような面倒がない。さらに、防護部材２４の回動支点とドア２の回動支点とが同一側にあるので、防護部材２４とドア２を同一方向に回動させることができる。【選択図】  図１
2004157855.tif 000002
【特許請求の範囲】
【請求項１】
キャビネットの前面一側に幅方向一端部を回動自在に支持されキャビネットの前面開口を開閉自在に覆うドアを有する自動販売機に取り付けて使用される盗難防止装置であって、
キャビネットの左右側面のうちドアの回動支点が存する側の側面に固着され得る支持部材と、
ロック機構を内蔵しキャビネットの前記とは反対側の側面に固着され得る係止部材と、
一端部を支持部材に回動自在に支持され、他端部がロック機構により係止部材に係止された状態でドアの開放を防ぎ得る防護部材とを備え、
前記防護部材のドア前面を覆う部分は複数の線状部の組み合わせから構成されていて線状部が存しない部分はドア前面を露出する開口となっている、
ことを特徴とする自動販売機の盗難防止装置。
【請求項２】
防護部材のドア前面を覆う部分を構成する複数の線状部は、少なくとも１つの横桟部及び縦桟部を含む、
ことを特徴とする請求項１に記載の自動販売機の盗難防止装置。
【請求項３】
防護部材のドア前面を覆う部分を構成する複数の線状部は、少なくとも１つの縦桟部を含む、
ことを特徴とする請求項１に記載の自動販売機の盗難防止装置。
【請求項４】
防護部材のドア前面を覆う部分を構成する複数の線状部は、少なくとも１つの横桟部を含む、
ことを特徴とする請求項１に記載の自動販売機の盗難防止装置。
【請求項５】
防護部材のドア前面を覆う部分を構成する複数の線状部は、少なくとも１つの斜め桟部を含む、
ことを特徴とする請求項１に記載の自動販売機の盗難防止装置。
【請求項６】
防護部材のドア前面を覆う部分を構成する複数の線状部は、少なくとも１つのリング部を含む、
ことを特徴とする請求項１に記載の自動販売機の盗難防止装置。
【請求項７】
キャビネットと、キャビネットの前面一側に幅方向一端部を回動自在に支持されキャビネットの前面開口を開閉自在に覆うドアと、ドアの開放を妨げる盗難防止装置とを備えた自動販売機であって、
前記盗難防止装置は、
キャビネットの左右側面のうちドアの回動支点が存する側の側面に設けられた支持部材と、
ロック機構を内蔵しキャビネットの前記とは反対側の側面に設けられた係止部材と、
一端部を支持部材に回動自在に支持され、他端部がロック機構により係止部材に係止された状態でドアの開放を防ぐ防護部材とを備え、
前記防護部材のドア前面を覆う部分は複数の線状部の組み合わせから構成されていて線状部が存しない部分はドア前面を露出する開口となっている、
ことを特徴とする自動販売機。
【請求項８】
防護部材のドア前面を覆う部分を構成する複数の線状部は、少なくとも１つの横桟部及び縦桟部を含む、
ことを特徴とする請求項７に記載の自動販売機の盗難防止装置。
【請求項９】
防護部材のドア前面を覆う部分を構成する複数の線状部は、少なくとも１つの縦桟部を含む、
ことを特徴とする請求項７に記載の自動販売機の盗難防止装置。
【請求項１０】
防護部材のドア前面を覆う部分を構成する複数の線状部は、少なくとも１つの横桟部を含む、
ことを特徴とする請求項７に記載の自動販売機の盗難防止装置。
【請求項１１】
防護部材のドア前面を覆う部分を構成する複数の線状部は、少なくとも１つの斜め桟部を含む、
ことを特徴とする請求項７に記載の自動販売機の盗難防止装置。
【請求項１２】
防護部材のドア前面を覆う部分を構成する複数の線状部は、少なくとも１つのリング部を含む、
ことを特徴とする請求項７に記載の自動販売機の盗難防止装置。
【発明の詳細な説明】
【０００１】
【発明の属する技術分野】
本発明は、自動販売機の前面に設けられたドアがこじ開けられることを防止するための盗難防止装置と、この盗難防止装置を備えた自動販売機に関する。
【０００２】
【従来の技術】
飲料等の商品を販売する自動販売機、特に屋外に設置された自動販売機は、ロックがかかっているドアがバール等の器具によって無理矢理こじ開けられて内部の商品や紙幣及び硬貨等が盗難に遭う頻度が高い。この問題を解消するため、キャビネット側に係止可能なＬ字形部材によってドアの開放を妨げるようにしたものや、ドアの前面側に左右に掛け渡されたチェーンやパイプ材によってドアの開放を妨げるようにしたもの等が既に提案されている（例えば、特許文献１及び特許文献２参照）。
【０００３】
【特許文献１】
特開平９−１８５７５８号公報
【特許文献２】
登録実用新案第３０１７９２３号公報
【０００４】
【発明が解決しようとする課題】
前記の盗難に対しては、堅牢な剛性部材をドアの前面側に配設してこれをキャビネット側に係止する構造を採用すればある程度の効果は得られる。しかしながら、商品の補充や紙幣及び硬貨の回収等の作業に際してドアを開放するときに、剛性部材を自動販売機からその都度取り外さなければならない構造のものでは、剛性部材の取り外しと取り付けに時間を要すると共に、取り外した後の剛性部材が前記作業の邪魔になるといった不具合がある。
【０００５】
本発明は前記事情に鑑みて創作されたもので、その目的とするところは、商品補充や紙幣及び硬貨の回収等の作業を支障なく行える盗難防止装置と、この盗難防止装置が取り付けられた自動販売機を提供することにある。
【０００６】
【課題を解決するための手段】
前記目的を達成するため、本発明に係る盗難防止装置は、キャビネットの前面一側に幅方向一端部を回動自在に支持されキャビネットの前面開口を開閉自在に覆うドアを有する自動販売機に取り付けて使用される盗難防止装置であって、キャビネットの左右側面のうちドアの回動支点が存する側の側面に固着され得る支持部材と、ロック機構を内蔵しキャビネットの前記とは反対側の側面に固着され得る係止部材と、一端部を支持部材に回動自在に支持され、他端部がロック機構により係止部材に係止された状態でドアの開放を防ぎ得る防護部材とを備え、前記防護部材のドア前面を覆う部分は複数の線状部の組み合わせから構成されていて線状部が存しない部分はドア前面を露出する開口となっている、ことをその特徴とする。
【０００７】
また、本発明に係る自動販売機は、キャビネットと、キャビネットの前面一側に幅方向一端部を回動自在に支持されキャビネットの前面開口を開閉自在に覆うドアと、ドアの開放を妨げる盗難防止装置とを備えた自動販売機であって、前記盗難防止装置は、キャビネットの左右側面のうちドアの回動支点が存する側の側面に設けられた支持部材と、ロック機構を内蔵しキャビネットの前記とは反対側の側面に設けられた係止部材と、一端部を支持部材に回動自在に支持され、他端部がロック機構により係止部材に係止された状態でドアの開放を防ぐ防護部材とを備え、前記防護部材のドア前面を覆う部分は複数の線状部の組み合わせから構成されていて線状部が存しない部分はドア前面を露出する開口となっている、ことをその特徴とする。
【０００８】
前記の盗難防止装置及び自動販売機によれば、防護部材の係合片がロック機構によって係止部材に係止された状態では、この防護部材によってドアの開放を妨げることができる。また、防護部材の一端部が支持部材に回動自在に支持されているので、商品の補充や紙幣及び硬貨の回収等の作業に際してドアを開放するときに防護部材を自動販売機からその都度取り外すような面倒がない。さらに、防護部材の回動支点とドアの回動支点とが同一側にあるので、防護部材とドアを同一方向に回動させることができる。
【０００９】
さらに、防護部材のドア前面を覆う部分が複数の線状部の組み合わせから構成されていて線状部が存しない部分はドア前面を露出する開口となっているので、防護部材に充分な剛性を確保できると共に、各線状部の位置を商品購入操作に支障を生じないようにしておけば、ドア前面の一部が防護部材で覆われた状態となっていても前記開口を通じて商品購入に必要な操作を不都合なく行える。
【００１０】
本発明の前記目的とそれ以外の目的と、構成特徴と、作用効果は、以下の説明と添付図面によって明らかとなる。
【００１１】
【発明の実施の形態】
図１〜図９は本発明の一実施形態を示すもので、以下の説明では図１における手前側を前、奥側を後、左側を左、右側を右として表記する。
【００１２】
図１は盗難防止装置が取り付けられた自動販売機の前面図、図２は図１の左側面図と右側面図、図３は図１の上面図、図４は盗難防止装置を取り付ける前の自動販売機の前面図と右側面図、図５は盗難防止装置を構成する防護部材の斜視図、図６は盗難防止装置を構成する支持部材の固着構造を示す横断面図、図７は盗難防止装置を構成する係止部材の内部構造を示す図と盗難防止装置を構成する防護部材の係止解除動作の説明図、図８は盗難防止装置を構成する防護部材とドアの両方を開放した状態を示す上面図、図９は盗難防止装置を構成する防護部材の係止動作の説明図である。
【００１３】
まず、図４（Ａ）及び図４（Ｂ）を参照して盗難防止装置の取り付け対象となる自動販売機について説明する。
【００１４】
図に示した自動販売機は缶入り飲料や瓶入り飲料やペットボトル入り飲料等を販売する一般的なもので、前面を開口した箱形キャビネット１と、キャビネット１の前面開口（図示省略）を開閉自在に覆うドア２とを備える。ドア２はその幅方向左端部をキャビネット１の上部左側に設けられたブラケット３とキャビネット１の下部張出部分（符号無し）に回転自在に支持されている。また、キャビネット１の底部には高さ調整を可能とした複数の脚部材４が設けられている。
【００１５】
キャビネット１内には断熱性のサブドア（図示省略）を有する断熱性の庫室（図示省略）が設けられ、この庫室内にはサーペンタインタイプ或いは他のタイプの商品コラムが前後左右に複数個配設され、各商品コラムの下部には商品搬出機（図示省略）が設けられている。また、庫室内には収納商品の冷却と加温を選択的に行うための蒸発器，ヒータ及び送風機が設けられ、キャビネット１の下部に設けられた機械室（図示省略）内には前記蒸発器と共に冷凍ユニットを構成する圧縮機や凝縮器等（図示省略）が収容されている。
【００１６】
ドア２の前面には窓穴２ａが設けられ、この窓穴２ａにはガラスや透明樹脂等から成る透明板５が設けられている。透明板５の裏面側空間の上部はサンプル室ＳＲとして利用されており、このサンプル室ＳＲ内にはサンプル載置台６が上下方向に間隔をおいて複数個設けられ、各サンプル載置台６上には商品サンプル７が交換可能に陳列されている。また、透明板５の裏面側空間の下部は広告室ＡＲとして利用されており、この広告室ＡＲ内にはポスター等の広告媒体ＢＳが交換可能に展示されている。さらに、透明板５の前面には各商品サンプル７に対応して商品選択ボタン８が設けられており、ドア２の前面にはドア用のロック９と硬貨投入口１０と返却レバー１１と表示部１２と紙幣投入口１３と硬貨返却口１４と商品販売口１５が設けられている。
【００１７】
次に、図１，図２（Ａ），図２（Ｂ），図３，図５，図６及び図７（Ａ）を参照して前記自動販売機に取り付け可能な盗難防止装置２１について説明する。
【００１８】
図に示した盗難防止装置２１は、支持部材２２と、係止部材２３と、防護部材２４とから構成されている。
【００１９】
支持部材２２はステンレス等の金属から箱状に形成されていて、その前面中央に凹部２２ａを有する。また、支持部材２２内の前面側にはシャフト２２ｂが縦向きに配されていて、その中央部分は凹部２２ａで露出している。さらに、支持部材２２のキャビネット１の左側面と向き合う取付面には複数のボルト挿入孔２２ｃが形成され、各ボルト挿入孔２２ｃの内側面にはナット２２ｄが溶接等の手法によってボルト挿入孔２２ｃと同心状に固着されている。
【００２０】
係止部材２３はステンレス等の金属から箱状に形成されていて、その内部にロック機構２３ａを有する。また、係止部材２３の前面には係合片挿入孔２３ｂが上下方向に間隔をおいて２個形成されている。さらに、係止部材２３のキャビネット１の右側面と向き合う取付面には複数のボルト挿入孔（図示省略）が形成され、各ボルト挿入孔の内側面にはナット２３ｃが溶接等の手法によってボルト挿入孔と同心状に固着されている。
【００２１】
前記ロック機構２３ａは、スライドプレート２３ａ１と、スライドプレート２３ａ１の上下移動を案内するガイドプレート２３ａ２と、スライドプレート２３ａ１に上下方向に間隔をおいて２個設けられたロックピン２３ａ３と、スライドプレート２３ａ１を上方に付勢するスプリング２３ａ４と、スライドプレート２３ａ１の下端に連結されたプランジャ２３ａ５と、プランジャ２３ａ５を下方に引き込み可能なソレノイド２３ａ６と、ソレノイド２３ａ６への通電制御を行うソレノイド駆動部２３ａ７とから構成されている。
【００２２】
ソレノイド駆動部２３ａ７は、非接触キー（図示省略）から出力される特定周波数のロック解除信号を受信してソレノイド２３ａ６に駆動電力を供給する機能を有している。ちなみに、ソレノイド２３ａ６の駆動電力は、キャビネット１内の電源回路から電源ケーブルを通じて引き込まれる。また、非接触キーとしては、ボタン押圧操作に基づいてロック解除信号を出力する発振回路とその電源となる電池を内蔵したものが用いられる。
【００２３】
防護部材２４は、ステンレス等の金属から板状に形成された左右の板状縦框部２４ａと、ステンレス等の金属から線状（棒状）に形成された上下の横框部２４ｂと、ステンレス等の金属から線状（棒状）に形成され、左右の縦框部２４ａの間に横框部２４ｂと平行に架設された１本の横桟部２４ｃと、ステンレス等の金属から線状（棒状）に形成され、上下の横框部２４ｂの間に縦框部２４ａと平行に架設された６本の縦桟部２４ｄとから構成され、縦框部２４ａ，横框部２４ｂ，横桟部２４ｃ及び線状縦桟部２４ｄは溶接等の手法によって相互に結合されている。
【００２４】
前記の縦桟部２４ｄは、上下の横框部２４ｂの間隔に一致する長さの線材（棒材）を用意してこれを横桟部２４ｃに予め形成した貫通孔（図示省略）に挿通して結合するようにしてもよいし、或いは、上側横框部２４ｂと横桟部２４ｃとの間隔と下側横框部２４ｂと横桟部２４ｃとの間隔に一致する長さのものを各々用意してこれを貫通孔を有しない横桟部２４ｃの上下に並べて配設して結合するようにしてもよい。また、図に示した防護部材２４にあっては横框部２４ｂと横桟部２４ｃに矩形断面の線材（棒材）を用い、縦桟部２４ｄに円形断面の線材（棒材）を用いたものを示したが、横框部２４ｂと横桟部２４ｃと縦桟部２４ｄには矩形，円形または楕円等の任意形状の断面形状を有する線材が適宜使用できる。
【００２５】
防護部材２４を構成する左右の縦框部２４ａ及び上下の横框部２４ｂを前面側から見た形態は横長矩形の枠状になっており、横桟部２４ｃ及び縦桟部２４ｄを前面側から見た形態は格子状になっている。
【００２６】
また、左側縦框部２４ａの後面中央には支持部材２２の凹部２２ａに対応した張出部２４ａ１が設けられおり、この張出部２４ａ１には貫通孔（符号無し）が形成されている。左側縦框部２４ａの張出部２４ａ１は支持部材２２の凹部２２ａに嵌め込まれており、張出部２４ａ１の貫通孔にはシャフト２２ｂが挿通されている。つまり、左側縦框部２４ａはその張出部２４ａ１を支持部材２２に回転自在に支持されている。
【００２７】
さらに、右側縦框部２４ａの後面には係止部材２３の係合片挿入孔２３ｂに対応した係合片２４ａ２が上下方向に間隔をおいて２個設けられている。各係合片２４ａ２は、係止部材２３内に配設されたロック機構２３ａのロックピン２３ａ３を下方に押し下げるためのテーパー面ｋ１と、ロックピン２３ａ３が係合可能は逆Ｕ字形の被係合部ｋ２を有している。
【００２８】
次に、前述の盗難防止装置２１を前述の自動販売機に取り付ける方法について説明する。
【００２９】
取り付けに際しては、電動ドリル等の工具を利用してキャビネット１の左側面に支持部材２２のボルト挿入孔２２ｃに対応したボルト挿通孔１ａ（図６参照）を形成し、また、キャビネット１の右側面にも係止部材２３のボルト挿入孔に対応したボルト挿通孔（図示省略）を形成する。
【００３０】
そして、キャビネット１の左側面に互いのボルト挿通孔が合致するように支持部材２２をあてがい、キャビネット１の内側の面にボルト挿通孔付きの補強板１ｂ（図６参照）をあてがった上で、キャビネット１の内側からボルトＢＴを各ボルト挿通孔に挿入して支持部材２２側のナット２２ｄにねじ込み、支持部材２２をキャビネット１の左側面に固着する。
【００３１】
これと同様に、キャビネット１の右側面に互いのボルト挿通孔が合致するように係止部材２３をあてがい、キャビネット１の内側の面にボルト挿通孔付きの補強板（図示省略）をあてがった上で、キャビネット１の内側からボルトＢＴを各ボルト挿通孔に挿入して係止部材２３側のナット２３ｃにねじ込み、係止部材２３をキャビネット１の右側面に固着する。このときには、キャビネット１内の電源回路から引き込んだ電源ケーブルをキャビネット１の右側面に別途形成した孔（図示省略）を通じてロック機構２３ａのソレノイド駆動部２３ａ７に接続する作業を並行して行う。
【００３２】
自動販売機に盗難防止装置２１を取り付け、且つ、防護部材２４の両係合片２４ａ２の被係合部ｘ２を係止部材２３のロック機構２３ａのロックピン２３ａ３に係合させた状態（図１，図２（Ａ），図２（Ｂ），図３及び図７（Ａ）参照）では、ドア２の前面の一部、主として広告部ＡＲとロック９と硬貨投入口１０と返却レバー１１と表示部１２と紙幣投入口１３が設けられた前面部分が防護部材２４で覆われた状態となる。
【００３３】
図に示した盗難防止装置２１では、防護部材２４のドア２の前面を覆う部分が上下の横框部２４ｂと格子状に組まれた複数の横桟部２４ｃ及び縦桟部２４ｄとから構成されているので、換言すれば、防護部材２４のドア２の前面を覆う部分が複数の線状部の組み合わせから構成されていて線状部が存しない部位はドア２の前面を露出する開口となっているので、防護部材２４に充分な剛性を確保できると共に、各線状部の位置を商品購入操作、即ち、硬貨投入口１０への硬貨投入や返却レバー１１の操作や紙幣投入口１３への紙幣投入等に支障を生じないようにしておけば、ドア２の前面の一部が防護部材２４で覆われた状態となっても商品購入に必要な操作を不都合なく行うことができる。尚、ロック９は基本的には防護部材２４を開放した後に操作するものであるため、線状部の存在によってロック９が操作できない状態となっていても構わない。
【００３４】
さらに、各種自動販売機における硬貨投入口１０の位置と返却レバー１１の位置と紙幣投入口１３の位置等を予め調査しておいて、防護部材２４のドア２の前面を覆う部分の形態を種々の自動販売機に共通で使用できるようなものにしておけば、幅寸法が異なる防護部材２４を何種類か用意するのみで各種自動販売機に対して前述の盗難防止装置２１を任意に取り付けることができ、自動販売機毎に専用の防護部材２４を用意する場合に比べてコスト低減と汎用性向上を図ることができる。
【００３５】
さらに、ドア２の前面の一部が防護部材２４で覆われた状態において防護部材２４の後面とドア２の前面との間に隙間ＧＡ（図３参照）が存するようにしておけば、防護部材２４の後面によってドア２の前面に損傷を生じることや、防護部材２４の後面によって広告部ＡＲの透明板部分やロック９や硬貨投入口１０や返却レバー１１や表示部１２や紙幣投入口１３等に損傷を生じることを回避することができる。
【００３６】
さらに、ドア２の前面の一部が防護部材２４で覆われた状態では、横桟部２４ｃ及び縦桟部２４ｄの在によって広告室ＡＲ内に展示された広告媒体ＢＳが多少見にくくなるが、広告媒体ＢＳを充分に視認できる程度に横桟部２４ｃと縦桟部２４ｄの数及び太さを制限すれば所期の広告効果を損なうこともない。
【００３７】
次に、図７（Ｂ），図８，図９（Ａ）及び図９（Ｂ）を参照して盗難防止装置２１を取り付けた後に自動販売機のドア２を開閉する方法について説明する。
【００３８】
商品の補充や紙幣及び硬貨の回収等の作業に際してドア２を開放するときには、先に述べた非接触キーからロック解除信号を出力し、このロック解除信号によって係止部材２３内のロック機構２３ａのソレノイド２３ａ６に駆動電力を供給する。これにより、図７（Ｂ）に示すように、ソレノイド２３ａ６によってプランジャ２３ａ５及びスライドプレート２３ａ１がスプリング２３ａ４の付勢力に抗して下方移動し、この下方移動によって各ロックピン２３ａ３が各係合片２４ａ２の被係合部ｘ２から抜け出してロックが解除される。
【００３９】
防護部材２４のロック解除後は、図８に示すように、防護部材２４を支持部材２２内のシャフト２２ｂを支点とし上から見て時計回り方向に回転させてドア２から離反させる。続いて、ドア２のロック９を専用キーを用いて解除し、ドア２を軸支部３ａを支点とし上から見て時計回り方向に回転させて開放する。
【００４０】
ロック解除後の防護部材２４はシャフト２２ｂを支点とし回転させてドア２から離反させることができるので、ドア２の開放に際して防護部材２４を自動販売機からその都度取り外すような面倒はない。また、防護部材２４を上から見てコ字形とし、且つ、防護部材２４の回動支点（図８の符号２２ｂ）をドア２の回動支点（図８の符号３ａ）よりも後側に位置させてあるので、開放したドア２の左側縁がキャビネット１の左側面よりも左側に突出する場合でも、開放したドア２が防護部材２４と干渉することはない。
【００４１】
商品の補充や紙幣及び硬貨の回収等の作業が完了した後にドア２を閉塞するときには、前記とは逆に、ドア２を軸支部３ａを支点とし上から見て反時計回り方向に回転させて閉塞しドア２のロックを行う。
【００４２】
ドア２のロック後は、前記とは逆に、防護部材２４を支持部材２２内のシャフト２２ｂを支点とし上から見て反時計回り方向に回転させ、各係合片２４ａ２を係止部材２３の各係合片挿入孔２３ｂに力を加えて差し込む。これにより、図９（Ａ）及び図９（Ｂ）に示すように、各係合片２４ａ２のテーパー面ｋ１によってロックピン２３ａ３及びスライドプレート２３ａ１がスプリング２３ａ４の付勢力に抗して下方に押し下げられ、やがて、各係合片２４ａ２の被係合部ｋ２が各ロックピン２３ａ３の上側にきたところでロックピン２３ａ３及びスライドプレート２３ａ１がスプリング２３ａ４の付勢力によって上方移動し、各ロックピン２３ａ３が各係合片２４ａ２の被係合部ｋ２に係合してロックされる。
【００４３】
本実施形態の盗難防止装置２１及びこれを取り付けた自動販売機によれば、防護部材２４の各係合片２４ａ２がロック機構２３ａによって係止部材２３に係止された状態では、この防護部材２４によってドア２の開放を妨げることができるので、ドア２が無理矢理こじ開けられて内部の商品や紙幣及び硬貨等が盗難に遭うことを確実に防止できる。
【００４４】
また、盗難防止装置２１の防護部材２４が支持部材２２内のシャフト２２ｂを支点として回動できるように構成されているので、商品の補充や紙幣及び硬貨の回収等の作業に際してドア２を開放するときに防護部材２４を自動販売機からその都度取り外すような面倒はなく、しかも、開いた後の防護部材２４が前記作業を行う上で邪魔になるようなこともない。
【００４５】
さらに、盗難防止装置２１の防護部材２４の回動支点とドア２の回動支点とが同一側にあり、防護部材２４とドア２を同一方向に回動させることができるので、商品の補充や紙幣及び硬貨の回収等の作業を行う際の防護部材２４の回動操作とドア２の回動操作をスムースに行うことができる。
【００４６】
さらに、盗難防止装置２１の防護部材２４を上から見てコ字形とし、且つ、防護部材２４の回動支点をドア２の回動支点よりも後側に位置させてあるので、開放したドア２の左側縁がキャビネット１の左側面よりも左側に突出する場合でも、開放したドア２が防護部材２４と干渉することはない。
【００４７】
さらに、防護部材２４のドア２の前面を覆う部分が複数の線状部（横框部２４ｂ，横桟部２４ｃ及び縦桟部２４ｄ）の組み合わせから構成されていて線状部が存しない部分はドア２の前面を露出する開口となっているので、防護部材２４に充分な剛性を確保できると共に、各線状部の位置を商品購入操作、即ち、硬貨投入口１０への硬貨投入や返却レバー１１の操作や紙幣投入口１３への紙幣投入等に支障を生じないようにしておけば、ドア２の前面の一部が防護部材２４で覆われた状態となっても商品購入に必要な操作を不都合なく行うことができる。
【００４８】
さらに、各種自動販売機における硬貨投入口１０の位置と返却レバー１１の位置と紙幣投入口１３の位置等を予め調査しておいて、防護部材２４のドア２の前面を覆う部分の形態を種々の自動販売機に共通で使用できるようなものにしておけば、幅寸法が異なる防護部材２４を何種類か用意するのみで各種自動販売機に対して前述の盗難防止装置２１を任意に取り付けることができ、自動販売機毎に専用の防護部材２４を用意する場合に比べてコスト低減と汎用性向上を図ることができる。
【００４９】
さらに、ドア２の前面の一部が防護部材２４で覆われた状態において防護部材２４の後面がドア２の前面との間に隙間ＧＡが存するようにしておけば、防護部材２４の後面によってドア２の前面に損傷を生じることや、防護部材２４の後面によって広告部ＡＲの透明板部分やロック９や硬貨投入口１０や返却レバー１１や表示部１２や紙幣投入口１３等に損傷を生じることを未然に回避することができる。
【００５０】
さらに、ドア２の前面の一部が防護部材２４で覆われた状態では、線状部（横桟部２４ｃ及び縦桟部２４ｄ）の存在によって広告室ＡＲ内に展示された広告媒体ＢＳが多少見にくくなるが、広告媒体ＢＳを充分に視認できる程度に線状部の数及び太さを制限すれば所期の広告効果を損なうこともない。
【００５１】
図１０〜図２５は図１〜図９に示した防護部材２４の他の形態例を各々示す防護部材の前面図である。
【００５２】
図１０〜図１４は、防護部材のドア前面を覆う部分を構成する複数の線状部が、少なくとも１つの横桟部及び縦桟部を含むものを示す。
【００５３】
図１０に示した防護部材２４−１は、左右の縦框部２４ａと、上下の横框部２４ｂと、左右の縦框部２４ａの間隔よりも短い３本の横桟部２４ｃと、横框部２４ｂ及び横桟部２４ｃよりも細い３本の縦桟部２４ｄとから構成されている。左右の縦桟部２４ｄは横桟部２４ｃに予め形成した貫通孔（図示省略）に挿通され、中央の縦桟部２４ｄは上側横框部２４ｂと上側横桟部２４ｃとの間に配設されている。
【００５４】
図１１に示した防護部材２４−２は、左右の縦框部２４ａと、上下の横框部２４ｂと、２本の横桟部２４ｃと、横框部２４ｂ及び横桟部２４ｃよりも太い１本の縦桟部２４ｄとから構成されている。左右の縦框部２４ａは前面端から内側に折れ曲がった屈曲部分２４ａ３を有しており、横框部２４ｂと横桟部２４ｃは縦桟部２４ｄに予め形成した貫通孔（図示省略）に挿通されている。
【００５５】
図１２に示した防護部材２４−３は、屈曲部分２４ａ３を有する左右の縦框部２４ａと、横桟部２４ｃよりも太い下側横框部２４ｂと、２本の横桟部２４ｃと、横桟部２４ｃよりも太い３本の縦桟部２４ｄとから構成されている。横框部２４ｂと横桟部２４ｃは各縦桟部２４ｄに予め形成した貫通孔（図示省略）に挿通されている。
【００５６】
図１３に示した防護部材２４−４は、屈曲部分２４ａ３を有する左右の縦框部２４ａと、左右の縦框部２４ａに左右辺部分を結合された矩形状の枠部材２４ｅと、枠部材２４ｅに架設された２本の横桟部２４ｃと、上側の横桟部２４ｃと枠部材２４ｅの下辺部分に架設された２本の縦桟部２４ｄと、下側の横桟部２４ｃと２本の縦桟部２４ｄとで囲まれる領域に配設されたパンチングプレート２４ｆとから構成されている。下側の横桟部２４ｃは各縦桟部２４ｄに予め形成した貫通孔（図示省略）に挿通されている。この防護部材２４−４では枠部材２４ｅの上下辺部分が横框部の役割を果たし、左右辺部分が縦框部の一部を構成する。
【００５７】
図１４に示した防護部材２４−５は、左右の縦框部２４ａと、左右の縦框部２４ａに左右辺部分を結合された矩形状の第１枠部材２４ｅ１と、第１枠部材２４ｅ１に架設された３本の縦桟部２４ｄと、左右の縦框部２４ａに左右辺部分を結合された矩形状の第２枠部材２４ｅ２と、第２枠部材に架設された２本の縦桟部２４ｄと、この２本の縦桟部２４ｄに架設された１本の横桟部２４ｃとから構成されている。この防護部材２４−５では第１枠部材２４ｅ１の上辺部分と第２枠部材２４ｅ２の下辺部分が横框部の役割を果たし、第１枠部材２４ｅ１の下辺部分と第２枠部材２４ｅ２の上辺部分が横桟部の役割を果たし、各枠部材２４ｅ１，２４ｅ２の左右辺部分が縦框部の一部を構成する。
【００５８】
図１０〜図１４のそれぞれに示した防護部材２４−１，２４−２，２４−３，２４−４または２４−５を備える盗難防止装置２１及びこれを取り付けた自動販売機によれば、防護部材２４のドア２の前面を覆う部分の形態が図１〜図９に示した防護部材２４と異なるものの、防護部材２４のドア２の前面を覆う部分が複数の線状部（横框部，横桟部及び縦桟部）の組み合わせから構成されていて線状部が存しない部分はドア２の前面を露出する開口となっているので、防護部材２４に充分な剛性を確保できると共に、各線状部の位置を商品購入操作、即ち、硬貨投入口１０への硬貨投入や返却レバー１１の操作や紙幣投入口１３への紙幣投入等に支障を生じないようにしておけば、ドア２の前面の一部が防護部材２４で覆われた状態となっても商品購入に必要な操作を不都合なく行うことができる。他の作用効果は図１〜図９に示した実施形態と同じである。
【００５９】
図１５〜図１７は、防護部材のドア前面を覆う部分を構成する複数の線状部が、少なくとも１つの横桟部または縦桟部を含むものを示す。
【００６０】
図１５に示した防護部材２４−６は、図１〜図９に示した防護部材２４から横桟部２４ｃを除外した形態を有する。図１６に示した防護部材２４−７は、図１〜図９に示した防護部材２４から縦桟部２４ｄを除外した形態を有する。図１７に示した防護部材２４−８は、図１１に示した防護部材２４の横桟部２４ｃの数を１から３に増加した形態を有する。
【００６１】
図１５〜図１７にそれぞれ示した防護部材２４−６，２４−７または２４−８を備える盗難防止装置２１及びこれを取り付けた自動販売機によれば、横桟部２４ｃと縦桟部２４ｄの一方を除外するで防護部材２４−６，２４−７及び２４−８のドア２の前面を覆う部分の構成を簡略化してあるので、防護部材及びこれを用いた盗難防止装置を安価に製作することができる。他の作用効果は図１〜図９に示した実施形態と同じである。
【００６２】
図１８〜図２０は、防護部材のドア前面を覆う部分を構成する複数の線状部が、少なくとも１つの斜め桟部を含むものを示す。
【００６３】
図１８に示した防護部材２４−９は、左右の縦框部２４ａと、上下の横框部２４ｂと、ステンレス等の金属から成り左右の縦框部２４ａ及び上下の横框部２４ｂの内側に前面側から見て右下がりに架設された５本の第１斜め桟部２４ｇと、ステンレス等の金属から成り左右の縦框部２４ａ及び上下の横框部２４ｂから成る矩形枠の内側に前面側から見て左下がりに架設された５本の第２斜め桟部２４ｈとから構成されており、縦框部２４ａ，横框部２４ｂ，第１斜め桟部２４ｇ及び第２斜め桟部２４ｈは溶接等の手法によって相互に結合されている。
【００６４】
前記の第２斜め桟部２４ｆは、上下の横框部２４ｂの間隔に応じた長さのものとこれよりも短いものを用意してこれらを第１斜め桟部２４ｅに形成された貫通孔（図示省略）に挿通して結合するようにしてもよいし、或いは、上側横框部２４ｂと第１斜め桟部２４ｅとの間隔と第１斜め桟部２４ｅ間の間隔と下側横框部２４ｂと第１斜め桟部２４ｅとの間隔に一致する長さのものをそれぞれ用意してこれらを各間隔に並べて配設して結合するようにしてもよい。また、第１斜め桟部２４ｅと第２斜め桟部２４ｆには横框部２４ｂと同様に矩形，円形または楕円等の任意形状の断面形状を有する棒材が適宜使用できる。
【００６５】
防護部材２４を構成する左右の縦框部２４ａ及び上下の横框部２４ｂを前面側から見た形態は横長矩形の枠状になっており、第１斜め桟部２４ｅ及び第２斜め桟部２４ｆを前面側から見た形態は格子状になっている。
【００６６】
尚、前記の防護部材２４−９には、必要に応じて第１斜め桟部２４ｅ，第２斜め桟部２４ｆ以外の線状部、例えば横桟部や縦桟部等を併用しても構わない。
【００６７】
図１８に示した防護部材２４−９を備える盗難防止装置２１及びこれを取り付けた自動販売機によれば、防護部材２４のドア２の前面を覆う部分の形態が図１〜図９に示した防護部材２４と異なるものの、防護部材２４のドア２の前面を覆う部分が複数の線状部（横框部，第１斜め桟部及び第２斜め桟部）の組み合わせから構成されていて線状部が存しない部分はドア２の前面を露出する開口となっているので、防護部材２４に充分な剛性を確保できると共に、各線状部の位置を商品購入操作、即ち、硬貨投入口１０への硬貨投入や返却レバー１１の操作や紙幣投入口１３への紙幣投入等に支障を生じないようにしておけば、ドア２の前面の一部が防護部材２４で覆われた状態となっても商品購入に必要な操作を不都合なく行うことができる。また、桟部として斜めのものを使用することで図１〜図９に示した防護部材２４と異なる美的印象を得ることができる。他の作用効果は図１〜図９に示した実施形態と同じである。
【００６８】
図１９に示した防護部材２４−１０  は図１８に示した防護部材２４−９から第２斜め桟部２４ｈを除外した形態を有する。図１９に示した防護部材２４−１１  は図１８に示した防護部材２４−９から第１斜め桟部２４ｇを除外した形態を有する。
【００６９】
尚、前記の防護部材２４−１０  及び２４−１１  には、必要に応じて第１斜め桟部２４ｅ，第２斜め桟部２４ｆ以外の線状部、例えば横桟部や縦桟部等を併用しても構わない。
【００７０】
図１９と図２０にそれぞれ示した防護部材２４−１０  または２４−１１  を備える盗難防止装置２１及びこれを取り付けた自動販売機によれば、第１斜め桟部２４ｇと第２斜め桟部２４ｈの一方を除外するで防護部材２４−１０  及び２４−１１  のドア２の前面を覆う部分の構成を簡略化してあるので、防護部材及びこれを用いた盗難防止装置を安価に製作することができる。また、桟部として斜めのものを使用することで図１〜図９に示した防護部材２４と異なる美的印象を得ることができる。他の作用効果は図１〜図９に示した実施形態と同じである。
【００７１】
図２１〜図２３は、防護部材のドア前面を覆う部分を構成する複数の線状部が、少なくとも１つの円形リング部を含むものを示す。
【００７２】
図２１に示した防護部材２４−１２  は、屈曲部分２４ａ３を有する左右の縦框部２４ａと、上下の横框部２４ｂと、ステンレス等の金属から成り左右の縦框部２４ａ及び上下の横框部２４ｂの内側に配設された５個の円形リング部２４ｉとから構成されており、縦框部２４ａ，横框部２４ｂ及び円形リング部２４ｉは溶接等の手法によって相互に結合されている。図に示した防護部材２４−１２  では大小２種類の円形リング部を用意し、上側に小サイズの円形リング部を並べて配設しその下側に大サイズの円形リング部を並べて配設してある。
【００７３】
図２２に示した防護部材２４−１３  は、屈曲部分２４ａ３を有する左右の縦框部２４ａと、上下の横框部２４ｂと、下側横框部２４ｂの下辺部分に沿って配設された２個の円形リング部２４ｉと、左右の縦框部２４ａと円形リング部２４ｉの間と円形リング部２４ｉの相互間に架設された計９本の横桟部２４ｃとから構成されており、縦框部２４ａ，横框部２４ｂ，円形リング部２４ｉ及び横桟部２４ｃは溶接等の手法によって相互に結合されている。
【００７４】
図２３に示した防護部材２４−１４  は、屈曲部分２４ａ３を有する左右の縦框部２４ａと、上下の横框部２４ｂと、右側縦框部２４ａ及び上下の横框部２４ｂの内側に配設された大小２個の円形リング部２４ｉと、左側縦框部２４ａと下側横框部２４ｂとの間に架設された３本の曲線部２４ｊとから構成されており、縦框部２４ａ，横框部２４ｂ，円形リング部２４ｉ及び曲線部２４ｊは溶接等の手法によって相互に結合されている。３本の曲線部２４ｊは一端部を結合された一部品として構成されている。
【００７５】
尚、前記の防護部材２４−１２  ，２４−１３  及び２４−１４  には、必要に応じて横桟部２４ｃ，曲線部２４ｊ以外の線状部、例えば縦桟部等を併用しても構わない。
【００７６】
図２１〜図２３のそれぞれに示した防護部材２４−１２  ，２４−１３  または２４−１４  を備える盗難防止装置２１及びこれを取り付けた自動販売機によれば、防護部材２４のドア２の前面を覆う部分の形態が図１〜図９に示した防護部材２４と異なるものの、防護部材２４のドア２の前面を覆う部分が複数の線状部（横框部，円形リング部及び曲線部）の組み合わせから構成されていて線状部が存しない部分はドア２の前面を露出する開口となっているので、防護部材２４に充分な剛性を確保できると共に、各線状部の位置を商品購入操作、即ち、硬貨投入口１０への硬貨投入や返却レバー１１の操作や紙幣投入口１３への紙幣投入等に支障を生じないようにしておけば、ドア２の前面の一部が防護部材２４で覆われた状態となっても商品購入に必要な操作を不都合なく行うことができる。また、桟部として円形や曲線のものを使用することで図１〜図９に示した防護部材２４と異なる美的印象を得ることができる。他の作用効果は図１〜図９に示した実施形態と同じである。
【００７７】
図２４と図２５は、防護部材のドア前面を覆う部分を構成する複数の線状部が、少なくとも１つの四角形リング部または三角形リング部を含むものを示す。
【００７８】
図２４に示した防護部材２４−２５  は、屈曲部分２４ａ３を有する左右の縦框部２４ａと、上下の横框部２４ｂと、ステンレス等の金属から成り下側横框部２４ｂに沿って配設された２個の四角形リング部２４ｋとから構成されており、縦框部２４ａ，横框部２４ｂ及び四角形リング部２４ｋは溶接等の手法によって相互に結合されている。
【００７９】
図２５に示した防護部材２４−１６  は、屈曲部分２４ａ３を有する左右の縦框部２４ａと、上下の横框部２４ｂと、ステンレス等の金属から成り下側横框部２４ｂに沿って配設された３個の三角形リング部２４ｌとから構成されており、縦框部２４ａ，横框部２４ｂ及び三角形リング部２４ｌは溶接等の手法によって相互に結合されている。
【００８０】
尚、前記の防護部材２４−１５  及び２４−１６  には、必要に応じて四角形リング部，三角形リング部以外の線状部、例えば横桟部や縦桟部等を併用しても構わない。
【００８１】
図２４と図２５のそれぞれに示した防護部材２４−１５  または２４−１６  を備える盗難防止装置２１及びこれを取り付けた自動販売機によれば、防護部材２４のドア２の前面を覆う部分の形態が図１〜図９に示した防護部材２４と異なるものの、防護部材２４のドア２の前面を覆う部分が複数の線状部（横框部，四角形リング部及び三角形リング部）の組み合わせから構成されていて線状部が存しない部分はドア２の前面を露出する開口となっているので、防護部材２４に充分な剛性を確保できると共に、各線状部の位置を商品購入操作、即ち、硬貨投入口１０への硬貨投入や返却レバー１１の操作や紙幣投入口１３への紙幣投入等に支障を生じないようにしておけば、ドア２の前面の一部が防護部材２４で覆われた状態となっても商品購入に必要な操作を不都合なく行うことができる。また、桟部として四角形や三角形のものを使用することで図１〜図９に示した防護部材２４と異なる美的印象を得ることができる。他の作用効果は図１〜図９に示した実施形態と同じである。
【００８２】
以上の説明では、盗難防止装置２１における係止部材２３のロック機構２３ａとして非接触キーから出力されるロック解除信号によってロック解除を遠隔操作できるものを示したが、カードキーに記憶されたロック解除用の情報を読み取るための機器を係止部材２３に設けてその読み取り情報に基づいてロック解除を行うようにしたり、或いは、一般的な差し込みキーの回動操作によってロック解除を機械的に行う機器を係止部材２３に設けた電源不要な構造としても構わない。また、ロック機構２３ａと係合片２４ａ２の構成は、前記同様のロック及びロック解除を行えるものであれば周知の構成が種々使用できることは言うまでもない。
【００８３】
【発明の効果】
以上詳述したように、本発明に係る盗難防止装置及びこれを取り付けた自動販売機によれば、防護部材の係合片がロック機構によって係止部材に係止された状態では、この防護部材によってドアの開放を妨げることができるので、ドアが無理矢理こじ開けられて内部の商品や紙幣及び硬貨等が盗難に遭うことを確実に防止できる。
【００８４】
また、盗難防止装置の防護部材の一端部が支持部材に回動自在に支持されているので、商品の補充や紙幣及び硬貨の回収等の作業に際してドアを開放するときに防護部材を自動販売機からその都度取り外すような面倒はなく、しかも、開いた後の防護部材が前記作業を行う上で邪魔になるようなこともない。
【００８５】
さらに、盗難防止装置の防護部材の回動支点とドアの回動支点とが同一側にあり、防護部材とドアを同一方向に回動させることができるので、商品の補充や紙幣及び硬貨の回収等の作業を行う際の防護部材の回動操作とドアの回動操作をスムースに行うことができる。
【００８６】
さらに、防護部材のドア前面を覆う部分が複数の線状部の組み合わせから構成されていて線状部が存しない部分はドア前面を露出する開口となっているので、防護部材に充分な剛性を確保できると共に、各線状部の位置を商品購入操作、即ち、硬貨投入口への硬貨投入や返却レバーの操作や紙幣投入口への紙幣投入等に支障を生じないようにしておけば、ドア前面の一部が防護部材で覆われた状態となっても商品購入に必要な操作を不都合なく行うことができる。
【図面の簡単な説明】
【図１】本発明の一実施形態を示す、盗難防止装置が取り付けられた自動販売機の前面図
【図２】図１の左側面図と右側面図
【図３】図１の上面図
【図４】盗難防止装置を取り付ける前の自動販売機の前面図と右側面図
【図５】盗難防止装置を構成する防護部材の斜視図
【図６】盗難防止装置を構成する支持部材の固着構造を示す横断面図
【図７】盗難防止装置を構成する係止部材の内部構造を示す図と盗難防止装置を構成する防護部材の係止解除動作の説明図
【図８】盗難防止装置を構成する防護部材とドアの両方を開放した状態を示す上面図
【図９】盗難防止装置を構成する防護部材の係止動作の説明図
【図１０】図１〜図９に示した防護部材の他の形態例を示す防護部材の前面図
【図１１】図１〜図９に示した防護部材の他の形態例を示す防護部材の前面図
【図１２】図１〜図９に示した防護部材の他の形態例を示す防護部材の前面図
【図１３】図１〜図９に示した防護部材の他の形態例を示す防護部材の前面図
【図１４】図１〜図９に示した防護部材の他の形態例を示す防護部材の前面図
【図１５】図１〜図９に示した防護部材の他の形態例を示す防護部材の前面図
【図１６】図１〜図９に示した防護部材の他の形態例を示す防護部材の前面図
【図１７】図１〜図９に示した防護部材の他の形態例を示す防護部材の前面図
【図１８】図１〜図９に示した防護部材の他の形態例を示す防護部材の前面図
【図１９】図１〜図９に示した防護部材の他の形態例を示す防護部材の前面図
【図２０】図１〜図９に示した防護部材の他の形態例を示す防護部材の前面図
【図２１】図１〜図９に示した防護部材の他の形態例を示す防護部材の前面図
【図２２】図１〜図９に示した防護部材の他の形態例を示す防護部材の前面図
【図２３】図１〜図９に示した防護部材の他の形態例を示す防護部材の前面図
【図２４】図１〜図９に示した防護部材の他の形態例を示す防護部材の前面図
【図２５】図１〜図９に示した防護部材の他の形態例を示す防護部材の前面図
【符号の説明】
１…キャビネット、２…ドア、２１…盗難防止装置、２２…支持部材、２３…係止部材、２３ａ…ロック機構、２４，２４−１，２４−２，２４−３，２４−４，２４−５，２４−６，２４−７，２４−８，２４−９，２４−１０  ，２４−１１  ，２４−１２  ，２４−１３  ，２４−１４  ，２４−１５  ，２４−１６  …防護部材、２４ａ…縦框部、２４ａ２……係合片、２４ｂ…横框部、２４ｃ…横桟部、２４ｄ…縦桟部、２４ｅ，２４ｅ１，２４ｅ２…枠部材、２４ｇ…第１斜め桟部、２４ｈ…第２斜め桟部、２４ｉ…円形リング部、２４ｊ…曲線部、２４ｋ…四角形リング部、２４ｌ…四角形リング部。
【図１】
2004157855.tif 000003
【図２】
2004157855.tif 000004
【図３】
2004157855.tif 000005
【図４】
2004157855.tif 000006
【図５】
2004157855.tif 000007
【図６】
2004157855.tif 000008
【図７】
2004157855.tif 000009
【図８】
2004157855.tif 000010
【図９】
2004157855.tif 000011
【図１０】
2004157855.tif 000012
【図１１】
2004157855.tif 000013
【図１２】
2004157855.tif 000014
【図１３】
2004157855.tif 000015
【図１４】
2004157855.tif 000016
【図１５】
2004157855.tif 000017
【図１６】
2004157855.tif 000018
【図１７】
2004157855.tif 000019
【図１８】
2004157855.tif 000020
【図１９】
2004157855.tif 000021
【図２０】
2004157855.tif 000022
【図２１】
2004157855.tif 000023
【図２２】
2004157855.tif 000024
【図２３】
2004157855.tif 000025
【図２４】
2004157855.tif 000026
【図２５】
2004157855.tif 000027